(57)【特許請求の範囲】
【請求項１】
相互に対向する前面及び裏面と当該前面及び裏面の縁に連なる側面とを有し、前記前面に開放可能な開封部が設けられた箱体と、蒸気抜き部が形成され、該蒸気抜き部が前記開封部に対向するように前記箱体に収められた包装袋とを有し、電子レンジによる加熱時における前記包装袋の内圧上昇に伴う膨張によって前記箱体に形成された開封部が開放されるようにした電子レンジ用包装体であって、
前記箱体の前面に形成された前記開封部は、非開封部との境界から所定方向に開放するものであって、前記所定方向に延びる前記前面の中心線に対して非対称に形成され、
前記開封部は、前記境界の部分が切れることにより開放されるものであり、
前記前面の中心線の一方側の前記境界の部分は、前記中心線の他方側の前記境界の部分より切れ易くなっている電子レンジ用包装体。
【請求項２】
前記境界には、切込み線が連なった切込み線列が形成され、
前記前面の中心線の一方側の切込み線列における切込み線の間隔と、前記中心線の他方側の前記切込み線列における切込み線の間隔とが異なる請求項１記載の電子レンジ用包装体。
【請求項３】
前記箱体は、前記前面及び前記裏面が矩形形状であるとともに、相互に対向する第１側面及び第２側面、及び相互に対向する第３側面及び第４側面の４つの側面を有する扁平直方体形状であり、
前記箱体の前面に形成された前記開封部は、非開封部との境界から前記第１側面の側の方向に開放するものであって、前記前面の中心線に対して非対称に形成されている請求項１記載の電子レンジ用包装体。
【請求項４】
前記境界は、前記中心線の一方側に該中心線に直交する方向に対して前記第１側面の側に傾くように形成された第１傾斜部分と、前記中心線の他方側に該中心線に直交する方向に対して前記第１側面の側に傾くように形成された第２傾斜部分とを有し、
前記第１傾斜部分の傾きの程度と前記第２傾斜部分の傾きの程度とが異なる請求項３記載の電子レンジ用包装体。
【請求項５】
前記第１傾斜部分の傾きの程度は、前記第２傾斜部分の傾きの程度より小さく、
前記第１傾斜線部分より前記第２傾斜線部分のほうが切れ易い構造となる請求項４記載の電子レンジ用包装体。
【請求項６】
前記境界には、切込み線が連なった切込み線列が形成され、
前記第２傾斜部分の切込み線列における切込み線の間隔は、前記第１傾斜部分の切込み線列における切込み線の間隔より狭い請求項５記載の電子レンジ用包装体。
【請求項７】
前記第３側面及び前記第４側面のうち、前記境界の前記１傾斜部分の形成された側の側面と、前記裏面とが糊付け面を介して接合されることにより、前記箱体が形成されている請求項５または６記載の電子レンジ用包装体。
【請求項８】
前記境界は、前記前面から前記第１傾斜部分に続いて前記第３側面に形成されて該第３側面、前記第１側面及び前記裏面が交わる角部に至る第１延長部分と、前記前面から前記第２傾斜部分に続いて前記第４側面に形成されて該第４側面、前記第１側面及び前記裏面が交わる角部に至る第２延長部とを有する請求項４乃至７のいずれかに記載の電子レンジ用包装体。
【発明の詳細な説明】
【技術分野】
【０００１】
本発明は、蒸気抜き部が形成されて電子レンジでの加熱が可能となるパウチ等の包装袋が箱体に収められた構造となる電子レンジ用包装体に関する。
【背景技術】
【０００２】
従来、蒸気抜き部が設けられて電子レンジでの加熱が可能となる食品用のパウチ（包装袋）が化粧箱（箱体）に納められた構造となる電子レンジ用包装体が提案されている（特許文献１参照）。この電子レンジ用包装体の化粧箱には加熱時のパウチの膨張によって開放可能な開封部が形成され、蒸気抜き部が前記開封部に対向するようにパウチが前記化粧箱に収められている。
【０００３】
このような電子レンジ用包装体によれば、パウチの収められた化粧箱を開封部の形成された面を上方に向けた状態で電子レンジにセットし、該電子レンジによる加熱動作によってパウチが膨張すると、そのパウチの膨張によって化粧箱の開封部が自動的に開放されるようになるので、化粧箱からわざわざパウチを取り出すことなく、電子レンジにて加熱することができる。
【先行技術文献】
【特許文献】
【０００４】
【特許文献１】特開２００９−５１５６２号公報
【発明の概要】
【発明が解決しようとする課題】
【０００５】
このような従来の電子レンジ用包装体では、電子レンジ内で加熱される包装袋の膨張力によって箱体の開封部が確実に開放されることが重要である。本発明は、このような事情に鑑みてなされたもので、包装袋の膨張によってより確実に箱体を開封することのできる電子レンジ用包装体を提供するものである。
【課題を解決するための手段】
【０００６】
本発明に係る電子レンジ用箱入り包装袋は、相互に対向する前面及び裏面と当該前面及び裏面の縁に連なる側面とを有し、前記前面に開放可能な開封部が設けられた箱体と、蒸気抜き部が形成され、該蒸気抜き部が前記開封部に対向するように前記箱体に収められた包装袋とを有し、電子レンジによる加熱時における前記包装袋の内圧上昇に伴う膨張によって前記箱体に形成された開封部が開放されるようにした電子レンジ用包装体であって、前記箱体の前面に形成された前記開封部は、非開封部との境界から所定方向に開放するものであって、前記所定方向に延びる前記前面の中心線に対して非対称に形成され、前記開封部は、前記境界の部分が切れることにより開放されるものであり、前記前面の中心線の一方側の前記境界の部分は、前記中心線の他方側の前記境界の部分より切れ易くなっている構成となる。
【０００７】
このような構成により、電子レンジ用包装体を電子レンジによって加熱すると、包装袋が膨張して箱体の前面に設けられた開封部を押し上げることにより、該開封部が徐々に盛り上がり、それにつれて、箱体の前面の開封部以外の非開封部や側面も変形していく。そして、前記開封部が前面の中心線に対して非対称に形成されることから、盛り上がる開封部は、非開封部との境界から前面の中心線に対して不均等に開放され始める。開封部の部分的な開放により、開放が遅れた側の非開封部や側面の変形が緩和され、その変形が緩和された分、前記開封部の盛り上がりによる力がその開放の遅れた側の開封部の非開封部との境界からの開放に有効に働いて、当該開封部がその境界から一気に開放され得るようになる。
【０００９】
そして、包装袋の膨張によって箱体の前面で盛り上がる開封部が、非開放部との境界の切れ易い部分からより早く開放し始めるようになるので、非開封部や側面の変形の緩和が助長されて、前記開封部の盛り上がりによる力がその開放の遅れた側における開封部の非開封部との境界からの開放にさらに有効に働き得るようになる。
【００１０】
また、本発明に係る電子レンジ用包装体において、前記境界には、切込み線が連なった切込み線列が形成され、前記前面の中心線の一方側の切込み線列における切込み線の間隔と、前記中心線の他方側の前記切込み線列における切込み線の間隔とが異なるように構成することができる。
【００１１】
このような構成により、間隔のより狭い切込み線列からより早く切れていくようになるので、包装袋の膨張によって箱体の前面で盛り上がる開封部が、非開放部との境界の前記間隔のより狭い切込み線列の部分からより早く開放し始め得る。
【００１２】
また、本発明に係る電子レンジ用包装体において、前記箱体は、前記前面及び前記裏面が矩形形状であるとともに、相互に対向する第１側面及び第２側面、及び相互に対向する第３側面及び第４側面の４つの側面を有する扁平直方体形状であり、前記箱体の前面に形成された前記開封部は、非開封部との境界から前記第１側面の側の方向に開放するものであって、前記前面の中心線に対して非対称に形成されている構成とすることができる。
【００１３】
このような構成により、電子レンジ用包装体を電子レンジによって加熱すると、膨張する包装袋が収められた扁平直方体形状の箱体において、盛り上がる前面の開封部が、非開封部との境界から該前面の中心線に対して不均等に開放され始め、開放が遅れた側の非開封部や側面の変形が緩和される。その変形が緩和された分、前記開封部の盛り上がりによる力がその開放の遅れた側の開封部の非開封部との境界からの開放に有効に働いて、当該開封部がその境界線から第１側面側に一気に開放され得るようになる。
【００１４】
更に、本発明に係る電子レンジ用包装体において、前記境界は、前記中心線の一方側に当該中心線に直交する方向に対して前記第１側面の側に傾くように形成された第１傾斜部分と、前記中心線の他方側に当該中心線に直交する方向に対して前記第１側面の側に傾くように形成された第２傾斜部分とを有し、前記第１傾斜部分の傾きの程度と前記第２傾斜部分の傾きの程度とが異なるように構成することができる。
【００１５】
このような構成により、箱体の前面に形成された開封部が非開封部との境界から第１側面の側の方向に開放する際に、該開封部の非開封部との境界の第１傾斜部分及び第２傾斜部分のうち、傾きの大きな、即ち、第１側面に対する角度が大きい傾斜部分からより早く開封され得る。
【００１６】
また、本発明に係る電子レンジ用包装体において、前記第１傾斜部分の傾きの程度は、前記第２傾斜部分の傾きの程度より小さく、前記第１傾斜線部分より前記第２傾斜線部分のほうが切れ易い構造となる構成とすることができる。
【００１７】
このような構成により、その傾きの程度及び切れ易さの点から、開封部は、非開封部との境界の第１傾斜部分より早く第２傾斜部分から開放され得る。
【００１８】
また、本発明に係る電子レンジ用包装体において、前記境界には、切込み線が連なった切込み線列が形成され、前記第２傾斜部分の切込み線列における切込み線の間隔は、前記第１傾斜部分の切込み線列における切込み線の間隔より狭い構成とすることができる。
【００１９】
このような構成により、開封部は、非開封部の境界の間隔の狭い切込み線列の形成された第２傾斜部分からより早く開放され得る。
【００２０】
更に、本発明に係る電子レンジ用包装体において、前記第３側面及び前記第４側面のうち、前記境界の前記１傾斜部分の形成された側の側面と、前記裏面とが糊付け面を介して接合されることにより、前記箱体が形成されている構成とすることができる。
【００２１】
このような構成により、第２傾斜部分からの開放より遅く開放され得る第１傾斜部分に近い第３側面及び第４側面のいずれかが、糊付け面によって補強がなされた状態になっているので、開封部が第２傾斜部分から開放された直後に、当該開封部の盛り上がりによる力が、その補強された側面（第３側面または第４側面）に近い第１傾斜部分の切断により有効に働き得るようになる。その結果、開封部が第１側面の側の方向により確実に開放できるようになる。
【００２２】
更に、本発明に係る電子レンジ用包装体において、前記境界は、前記前面から前記第１傾斜部分に続いて前記第３側面に形成されて該第３側面、前記第１側面及び前記裏面が交わる角部に至る第１延長部分と、前記前面から前記第２傾斜部分に続いて前記第４側面に形成されて該第４側面、前記第１側面及び前記裏面が交わる角部に至る第２延長部とを有する構成とするこができる。
【００２３】
このような構成により、開封部が非開封部との境界から第１側面に向けて開放される際に、前面から第３側面に続いて形成される第１延長部及び前面から第４側面に続いて形成される第２延長部からも開放されていくので、箱体がより大きく開放され、加熱によって膨張した包装袋が容易に露出できるようになる。
【発明の効果】
【００２４】
本発明に係る電子レンジ用包装体によれば、電子レンジによる加熱時の包装袋の膨張によって、箱体の前面に形成された開封部が、盛り上がって非開封部との境界から前記前面の中心線に対して不均等に開放され始め、その開封部の部分的な開放により、開放が遅れた側の非開封部や側面の変形が緩和され、その変形が緩和された分、前記開封部の盛り上がりによる力がその開放の遅れた側の開封部の非開封部との境界からの開放に有効に働いて、当該開封部がその境界線から一気に開放され得るようになる。その結果、包装袋の膨張によってより確実に箱体を開封することができるようになる。
【図面の簡単な説明】
【００２５】
【図１】本発明の第１の実施の形態に係る電子レンジ用包装体の外観を示す斜視図である。
【図２】図１に示す電子レンジ用包装体に用いられる箱体の展開図である。
【図３】箱体に形成された開封部の詳細構造を示す部分拡大展開図である。
【図４Ａ】箱体内に納められたパウチ（包装袋）の膨張しつつある状態を示す断面図である。
【図４Ｂ】パウチ（包装体）の膨張した状態を示す斜視図である。
【図５】電子レンジにて加熱した際に、箱体前面の開封部が開放されてパウチが露出した状態を示す斜視図である。
【発明を実施するための形態】
【００２６】
以下、本発明の実施の形態について図面を用いて説明する。
【００２７】
本発明の実施の一形態に係る電子レンジ用包装体は、図１及び図２に示すように構成される。なお、図１は、電子レンジ用包装体の外観を示す斜視図であり、図２は、電子レンジ用包装体に用いられる箱体の展開図である。
【００２８】
図１において、この電子レンジ用包装体に用いられる箱体（化粧箱）１０は、紙製（例えば、コートボール紙３１０ｇ／ｍ2等）であって、相互に対向する矩形形状の前面１１及び裏面１２と、前面１１及び裏面１２の各縁に連なる上側面１３ａ、横側面１３ｂ、下側面１３ｃ及び横側面１３ｄの４つの側面とから形成されている。そして、図１には表れていないが、箱体１０には、プラスチック製シートにて形成され、食品等の内容物が充填された所謂平袋タイプの電子レンジ用のパウチ２０（包装袋）が収められている（後述する図４Ａ、図４Ｂ参照）。
【００２９】
箱体１０は、図２に示す展開紙から組み立てられる。この展開紙は、矩形形状（長方形状）の前面１１及び裏面１２、短冊形状の上側面１３ａ、一方の横側面１３ｂ、下側面１３ｃ、他方の横側面１３ｄ、及び糊代（糊付け面）１４ａａ、１４ａｂ、１４ａｃ、１４ｂ、１４ｃａ、１４ｃｂ、１４ｃｃからなっている。この展開紙を折り曲げ接着することで、図１に示すように、相互に対向する前面１１、裏面１２と、相互に対向する上側面１３ａ（第１側面）、下側面１３ｃ（第２側面）及び相互に対向する２つの横側面１３ｂ（第３側面）、１３ｄ（第４側面）の４つの側面とによって扁平直方体形状となる箱体１０が形成される。具体的には、糊代１４ａｂ、１４ａｃを上側面１３ａの裏側に接着し、糊代１４ｃｂ、１４ｃｃを下側面１３ｃの裏側に接着することにより、前面１１の縁に連なる上側面１３ａ、下側面１３ｃ及び２つの横側面１３ｂ、１３ｄが接合される。また、糊代１４ａａ、１４ｃａを上側面１３ａ、下側面１３ｃの裏側に接着することにより、裏面１２が上側面１３ａ及び下側面１３ｃに接合され、更に、横側面１３ｂの長辺縁から突出する糊代１４ｂを裏面１２の裏側に接着することにより、裏面１２が横側面１３ｂに接合される。なお、糊代１４ｂを裏面１２の長辺縁から突出するように形成して、横側面１３ｂの裏側に接着するようにしてもよい。
【００３０】
また、図１とともに図２を参照するに、箱体１０の前面１１から両横側面１３ｂ、１３ｄにかけて、開放可能な開封部１５が形成されている。開封部１５の非開封部との境界１６には切込み線が連なった切込み線列が形成されており、この切込み線列の非切込み部分が連鎖的に切れることによって開封部１５がその境界１６から上側面１３ａの方向に開放する。開封部１５は、その開放する方向に延びる前面１１の中心線Ｌｃに対して非対称な形状となっている。開封部１５の非開封部との境界１６は、図２に示すように、前面１１における中心線Ｌｃの横側面１３ｂ側にその中心線Ｌｃに直交する方向に対して上側面１３ａの側に傾くように形成された第１傾斜部１６ａと、前記中心線Ｌｃの他方の横側面１３ｄ側にその中心線Ｌｃに直交する方向に対して上側面１３ａの側に傾くように形成された第２傾斜部１６ｂと、第１傾斜部１６ａの中心線Ｌｃ側の端部と第２傾斜部１６ｂの中心線Ｌｃ側の端部との間に当該中心線Ｌｃに直交するように延びる水平部１６ｃと、前面１１から第１傾斜部１６ａに続いて横側面１３ｂに形成されて該横側面１３ｂ、上側面１３ａ及び裏面１２が交わる角部に至る第１延長部１６ｄと、前面１１から第２傾斜部１６ｂに続いて他方の横側面１３ｄに形成されて該横側面１３ｄ、上側面１３ａ及び裏面１２が交わる角部に至る第２延長部１６ｅとを含む。第１傾斜部１６ａの傾きの程度は、第２傾斜部１６ｂの傾きの程度より小さい。即ち、第２傾斜部１６ｂが、第１傾斜部分１６ａよりも上側面１３ａに対する角度が大きい。また、第１傾斜部１６ａ及び第２傾斜部１６ｂをこのような構成にした結果、水平部１６ｃは中心線Ｌｃより横側面１３ｄ側がやや長く非対称になっている。
【００３１】
前述したように、開封部１５の非開封部との境界１６（第１傾斜部１６ａ、第２傾斜部１６ｂ、水平部１６ｃ、第１延長部１６ｄ、第２延長部１６ｅ）には、切込み線が連なった切込み線列が形成されているが、図３に拡大して示すように、境界１６の第１傾斜部１６ａに形成された切込み線列における各切込み線Ｓcut1の間隔Δ１（非切込み部分の長さ）は、第２傾斜部１６ｂに形成された切込み線列における各切込み線Ｓcut2の間隔Δ２（非切込み部分の長さ）より大きい。第２傾斜部１６ｂの部分は、第１傾斜部１６ａの部分と比較して、その切込み線列の傾きが大きいということで、前面１１の中心線Ｌｃに沿った開封部１５を開放させるための力に対して切れ易く、更に、その切込み線Ｓcut2の間隔Δ２が小さいということでも切れ易いものとなっている。
【００３２】
なお、第１傾斜部１６ａ及び第２傾斜部１６ｂの傾斜角度は、例えば、３０度〜６０度の範囲で、その差は、２度〜１０度の範囲で設定することができ、具体的には、第１傾斜部１６ａの角度が４１度、第２傾斜部の傾斜角度を４７度に設定した。また、第１傾斜部１６ａに形成される各切込み線Ｓcut1の間隔Δ１及び第２傾斜部１６ｂに形成される各切込み線Ｓcut2の間隔Δ２は、０．５〜２．０ｍｍの範囲で、その差は、０．２〜１．０ｍｍの範囲で設定することができ、具体的には、Δ１を１．５ｍｍ、Δ２を１．０ｍｍに設定した。更に、水平部１６ｃの中心は、前面１１の中心線Ｌｃより横側面１３ｄの方向に、横幅の２％〜１０％だけ偏らせることができ、具体的には、水平部１６ｃの中心は、前記中心線Ｌｃより横側面１３ｄの方向に約５ｍｍ（横幅１３０ｍｍの約３．７％）だけ偏らせた。
【００３３】
箱体１０に収められた平袋タイプのパウチ２０は、図４Ａ、図４Ｂ及び図５に示すように、縁部に蒸気抜き部２１ａ、２１ｂ、２１ｃが並んで形成されている。各蒸気抜き部２１ａ、２１ｂ、２１ｃは、例えば、特開２００２−２４９１７６号公報に記載されるように、孔（弱化部）の周りがシールされた構造となって、パウチ２０の内圧が限界を超えると、その蒸気抜き部２１ａ、２１ｂ、２１ｃ（孔）から蒸気が噴出するようになっている。なお、蒸気抜き部２１ａ、２１ｂ、２１ｃの構造としては、上述したものに限らず、パウチ２０の縁辺シール部の所定部位を、狭幅とする、内側に突出させる、易剥離性フィルムを挟んでシールするなどして、パウチ１０の内圧が上昇した際に前記所定部位のシールが優先的に剥離するようにしたもの、マイクロ波の照射で発熱する発熱体をフィルム材（シート）に貼り付け、該フィルム材が溶融、もしくはシール強度が低下して蒸気が抜けるようにしたものなど、公知のものを適用することができる。
【００３４】
パウチ２０は、蒸気抜き部２１ａ、２１ｂ、２１ｃが前面に形成された開封部１５に対向するように箱体１０に収められている。また、このパウチ２０は、開封部１５に対応した部位に内圧上昇によって裏面１２側に突出する折返し部２２が形成されている。この折返し部２２は、パウチ２０が膨張した際に突出するようになっており、その詳細な構造は、特開２００６−６２６７２号公報に記載されている。
【００３５】
このように箱体１０に収められたパウチ２０の内容物を電子レンジにて加熱する場合、パウチ２０の収められた箱体１０をそのまま前面１１を上方に向けて電子レンジにセットし、電子レンジを起動させる。電子レンジによってパウチ２０内の内容物が加熱されて水蒸気を発生すると、その水蒸気によってパウチ２０の内圧が上昇し、それに伴ってパウチ２０が図４Ａ及び図４Ｂに示すように膨張する。膨張するパウチ２０によって箱体２０の前面１１が外方に押し上げられ、特に、パウチ２０の折返し部２２が拡張することによって、前面１１の開封部１５が徐々に盛り上がる。そして、開封部１５の盛り上がりとともに開封部１５以外の非開封部や横側面１３ｂ、１３ｄも変形していく。
【００３６】
開封部１５が盛り上がることによって、非開封部との境界１６（第１傾斜部１６ａ、第２傾斜部１６ｂ、水平部１６ｃ、第１延長部１６ｄ、第２延長部１６ｅ）に形成された切込み線列の部分が切れ、パウチ２０の更なる膨張によって、図５に示すように、前面１１から両横側面１３ｂ、１３ｄにかけての開封部１５がその境界１６から上側面１３ａの方向に開放される。そして、開封部１５が開放してできた開口部１８からパウチ２０の蒸気抜き部２１ａ、２１ｂ、２１ｃの形成された部分が露出する。この状態で、パウチ２０の内圧が限界を超えると、蒸気抜き部２１ａ、２１ｂ、２１ｃから蒸気が噴出し、パウチ２０の内圧が過度に上昇することなく、パウチ２０の内容物が加熱調理される。
【００３７】
前述したパウチ２０の膨張による開封部１５の開放の動作について更に詳細に説明する。
【００３８】
開封部１５を前面１１の中心線Ｌｃに対して非対称に形成して当該中心線Ｌｃの両側における開放のし易さ（切込み線列の部分の切れ易さ）のバランスを崩すことによって、開封部１５がより確実に開放されるようになった。これは、開封部１５が次のようにして開放されるからであると考えられる。
【００３９】
開封部１５が前面１１の中心線Ｌｃに対して非対称となっていることから、盛り上がる開封部１５は、非開封部との境界１６から前記中心線Ｌｃに対して不均等に開放され始める。具体的には、開封部１５の非開封部との境界１６における水平部１６ｃに形成された切込み線列の部分に続いて第２傾斜部１６ｂに形成された切込み線列の部分が、第１傾斜部１６ａに形成された切込み線列の部分よりも早く切れ始める。このように開封部１５の境界１６における第２傾斜部１６ｂ側の部分的な開放により、開放の遅れた第１傾斜部１６ａ側の非開封部や横側面１３ｂの変形が緩和される。そして、その変形が緩和された分、開封部１５の盛り上がりによる力が開放の遅れた側の開封部１５の第１傾斜部１６ａからの開放に有効に働いて、その第１傾斜部１６ａに形成された切込み部列の部分から一気に開放されるようになる。特に、第２傾斜部分１６ｂからの開放より遅く開放される第１傾斜部分１６ａに近い横側面１３ｂが、裏面１４に接着される糊代１４ｂによって補強がなされた状態になっているので、開封部１５が第２傾斜部分１６ｂから開放された直後に、当該開封部１５の盛り上がりによる力が、その補強されて変形し難い横側面１３ｂに近い第１傾斜部分１６に形成された切込み線列の切断により有効に働き得るようになる。その結果、開封部１５が上側面１３ａの方向により確実に開放できるようになる。
【００４０】
上述したように、本発明の実施の形態に係る電子レンジ用包装体によれば、電子レンジによる加熱時のパウチ２０の膨張によって、箱体１０の前面１１から両横側面１３ｂ、１３ｄにかけて形成された開封部１５が、盛り上がって非開封部との境界１６からより確実に開放することができるようになる。また、開封部１５が非開封部との境界１６から上側面１３ａに向けて開放される際に、前面１１から一方の横側面１３ｂに続いて形成される第１延長部１６ｄ及び前面１１から他方の横側面１３ｄに続いて形成される第２延長部１６ｅからも開放されていくので、箱体１０がより大きく開放され、加熱によって膨張したパウチ２０が容易に露出できるようになる。
【００４１】
なお、箱体１０の前面１１から両横側面１３ｂ、１３ｄにかけての境界線１６に切込み線列を形成することにより、開放可能となる開封部１５に代えて、２００９−５１５６２号公報に記載されるように、箱体１０の前面１１に形成される開口を覆う蓋体を開封部として設けることも可能である。この場合、蓋体の縁が非開封部との境界となる。
【００４２】
また、前述した実施の形態においては、箱体１０における開封部１５の前面１１の部分での形状は、台形であったが、略三角形や山形等の他の形状とすることもできる。また、その開封部１５の形状は、左右の傾斜が同じ対称な台形を横側面１３側に平行移動させた形状であってもよい。更に、非対称の要素（平行移動、左右の傾斜を変える、あるいは、切込み間隔を変えるなど）は、１つであっても複数の組み合わせであってもよい。更に、特開２００９−０５１５６２に記載されるものと同様に、分岐部に蒸気抜き部を設けたパウチも適用することができる。
【産業上の利用可能性】
【００４３】
以上、説明したように、本発明に係る電子レンジ用包装体は、包装袋の膨張によってより確実に箱体を開封することができるという効果を有し、蒸気抜き部が形成されて電子レンジでの加熱が可能となるパウチ等の包装袋が箱体に収められた構造となる電子レンジ用包装体として有用である。
【符号の説明】
【００４４】
１０  箱体
１１  前面
１２  裏面
１３ａ  上側面（第１側面）
１３ｂ  横側面（第３側面）
１３ｃ  下側面（第２側面）
１３ｄ  横側面（第４側面）
１４ａａ、１４ａｂ、１４ａｃ  糊代
１４ｂ  糊代
１４ｃａ、１４ｃｂ、１４ｃｃ  糊代
１５  開封部
１６  境界
１６ａ  第１傾斜部
１６ｂ  第２傾斜部
１６ｃ  水平部
１６ｄ  第１延長部
１６ｅ  第２延長部
１８  開口部
２０  パウチ（包装袋）
２１ａ、２１ｂ、２１ｃ  蒸気抜き部
２２  折返し部
【図１】
0005494949.tif 000002
【図２】
0005494949.tif 000003
【図３】
0005494949.tif 000004
【図４Ａ】
0005494949.tif 000005
【図４Ｂ】
0005494949.tif 000006
【図５】
0005494949.tif 000007